(57)【要約】【課題】デジタル放送においてチャンネル切り替え後の番組内容を切り替え後に速やかに確認できる装置を提供する。【解決手段】本発明のデジタル放送受信装置はチャンネル切り替え入力に応じて、現在受信中のチャンネル切替前の映像データ及び番組データに替えてチャンネル切替後の映像データ及び番組データの受信を開始し、チャンネル切り替え時に切り替え後チャンネルの番組データに基づいた番組関連画面データを生成し暫時、出力する。【選択図】図１
2008199123.tif 000002
【特許請求の範囲】
【請求項１】
切り替え指令に応じて現在受信中の切り替え前チャンネルの映像データ及び番組データに代えて切り替え後チャンネルの映像データ及び番組データの受信を開始する受信部と、チャンネル切り替え入力に応じて前記受信部に切り替え指令を発する切り替え制御部と、前記受信部が受信した番組データを復号する番組データ復号部と、前記番組データ復号部が復号した番組データを記憶する番組データ記憶部と、前記受信部が受信した映像データを復号して映像信号を生成する映像データ復号部と、前記映像信号に基づいて画面データを生成出力する画面データ生成出力部と、を含むデジタル放送受信装置であって、
前記画面データ生成出力部は、前記切り替え入力に応じて前記切り替え後チャンネルの番組データに基づいた番組関連画面データを生成しこれを暫時出力することを特徴とするデジタル放送受信装置。
【請求項２】
前記映像データは圧縮処理されていることを特徴とする請求項１に記載のデジタル放送受信装置。
【請求項３】
前記番組データはチャンネル番号、放送開始・終了時刻及び番組内容情報の内の少なくとも１を含み、前記番組関連画面データは前記番組データの内容を文字及び／若しくはパターン表示する画面データであることを特徴とする請求項１に記載のデジタル放送受信装置。
【発明の詳細な説明】
【技術分野】
【０００１】
本発明はデジタル放送における映像データ及び番組データの受信装置に関する。
【背景技術】
【０００２】
近年普及しつつあるデジタル放送においては通常、チャンネル切り替え後の映像が表示されるまでに時間を要する。これは放送される映像の圧縮符号化技術に起因する。映像データの圧縮符号化方式として例えばＭＰＥＧ(Moving Pictures Experts Group)規格が知られている。当該規格における映像データは一連のフレームからなる。これらのフレームはフレーム内圧縮符号化フレーム（Intra-codedフレーム。以下、Iフレームと称する）とフレーム間予測圧縮符号化フレーム(Predictive-codedフレーム及びBidirectional predictive-codedフレーム。以下、これらを差分フレームと称する）とに大別される。通常、差分フレームはIフレームを参照することによって復号される。そのため受信装置がチャンネル切り替え後の映像を構成するIフレームを受信するまで差分フレームを復号できず、映像を表示するまでに時間がかかる。また、ＩＰネットワーク上でデジタル放送を行うシステムも普及しつつあるが、上記した圧縮符号化技術を用いているため、この場合もやはりチャンネル切り替え後の映像が表示されるまでに時間を要する。
【０００３】
デジタル放送の視聴者は視聴したい番組を見つけるために、チャンネル切り替えを頻繁に行う場合が多い。このとき、チャンネル切り替え後の映像が表示されるまでに時間を要すると、切り替え後の番組内容を確認するのに時間がかかるため、視聴者が不満を持つことになる。特許文献１には映像が表示されない場合に予め記憶しておいた画像を表示する手段を備えることにより、映像が表示されないことによる不満を解消することを目的としたデジタル放送受信装置が開示されている。
【特許文献１】特開２００６−０９４３６１号公報
【発明の開示】
【発明が解決しようとする課題】
【０００４】
しかしながら、特許文献１に開示されるデジタル放送受信装置は、チャンネル切り替え時に画像が表示されないという問題については解決できるものの、視聴者によるチャンネル切り替え入力後にチャンネル切り替え後の映像の表示までに時間を要して番組内容を確認するのに時間がかかるという問題は解決できない。
【０００５】
本発明は上記した如き問題点に鑑みてなされたものであって、デジタル放送においてチャンネル切り替え後の番組内容を切り替え後に速やかに確認できるデジタル放送受信装置を提供することを目的とする。
【課題を解決するための手段】
【０００６】
本発明によるデジタル放送受信装置は、切り替え指令に応じて現在受信中の切り替え前チャンネルの映像データ及び番組データに代えて切り替え後チャンネルの映像データ及び番組データの受信を開始する受信部と、チャンネル切り替え入力に応じて前記受信部に切り替え指令を発する切り替え制御部と、前記受信部が受信した番組データを復号する番組データ復号部と、前記番組データ復号部が復号した番組データを記憶する番組データ記憶部と、前記受信部が受信した映像データを復号して映像信号を生成する映像データ復号部と、前記映像信号に基づいて画面データを生成出力する画面データ生成出力部と、を含むデジタル放送受信装置であって、前記画面データ生成出力部は、前記切り替え入力に応じて前記切り替え後チャンネルの番組データに基づいた番組関連画面データを生成しこれを暫時出力することを特徴とする。
【発明の効果】
【０００７】
本発明によるデジタル放送受信装置によれば、切り替え後チャンネルの映像データは、切り替え後チャンネルの映像データを構成するＩフレームを受信するまで復号されないが、切り替え後映像データと共に受信した切り替え後番組データを記憶し、これを画面データ生成出力部に表示可能な番組関連画面データを生成してチャンネル切り替え時に画面表示することによって、切り替え後の映像データが復号、表示されていなくても、視聴者はチャンネル切り替え後、速やかに切り替え後の番組内容を知ることができる。
【発明を実施するための最良の形態】
【０００８】
以下、本発明に係る実施例について添付の図面を参照しつつ詳細に説明する。
【０００９】
図１は本発明によるデジタル放送受信装置１００を表すブロック図である。デジタル放送受信装置１００は本体部１と、リモートコントローラー（以下、リモコンと称する）１０と、スピーカ１１と、表示装置１２とを含む。
【００１０】
本体部１は受信部２と、音声データ復号部３と、音声データ出力部４と、映像データ復号部５と、画面データ生成出力部６と、番組データ復号部７と、番組データ記憶部８と、切り替え制御部９とを含む。
【００１１】
受信部２は音声データ、映像データ及び番組データを含むデータストリームからなる放送データを受信する（図１中のＢＤ）。放送データは例えば配信サーバ（図示せず）から配信される。受信部２は受信した放送データから音声データを取り出し、これを音声データ復号部３に供給する（同図中のＳＤ１）。また、受信部２は受信した放送データから映像データを取り出し、これを映像データ復号部５に供給する（同図中のＭＶ１）。更に、受信部２は受信した放送データから番組データを取り出し、これを番組データ復号部７に供給する（同図中のＰＧ１）。
【００１２】
受信部２は切り替え制御部９から発せられる切り替え指令（同図中のＣＨ）に応じて、現在受信中の切り替え前チャンネルの放送データに替えて切り替え後チャンネルの放送データの受信を開始する。以下、現在受信中の切り替え前チャンネルの放送データを切替前放送データと称する。また、切替前放送データに含まれる音声データ、映像データ及び番組データをそれぞれ切替前音声データ、切替前映像データ及び切替前番組データと称する。更に、切り替え後チャンネルの放送データを切替後放送データと称する。また、切替後放送データに含まれる音声データ、映像データ及び番組データをそれぞれ切替後音声データ、切替後映像データ及び切替後番組データと称する。
【００１３】
音声データ復号部３は例えば、ＭＰＥＧ規格に従って圧縮符号化された音声データを復号し、当該復号した音声データを音声データ出力部４に供給する（同図中のＳＤ２）。音声データ出力部４は供給された音声データをスピーカ１１で出力できる形式に変換し、当該変換した音声データをスピーカ１１に供給する（同図中のＳＤ３）。
【００１４】
映像データ復号部５は圧縮符号化された映像データを復号して映像信号を生成する。映像データ復号部５は生成した映像信号を画面データ生成出力部６に供給する（同図中のＭＶ２）。以下、切替前映像データを復号して生成された映像信号を切替前映像信号、切替後映像データを復号して生成された映像信号を切替後映像信号と称する。
【００１５】
画面データ生成出力部６は供給された映像信号に基づいて画面データを生成し、これを表示装置１２に出力する（同図中のＭＶ３）。以下、切替前映像信号に基づいて生成された画面データを切替前画面データ、切替後映像信号に基づいて生成された画面データを切替後画面データと称する。また、画面データ生成出力部６は切替後番組データに基づいて番組関連画面データを生成し、これを表示装置１２に出力する。通常、画面データ生成出力部６は切替後番組データの内容を文字表示した番組関連画面データを生成する。
【００１６】
番組データ復号部７は圧縮符号化された番組データを復号し、当該復号した番組データを番組データ記憶部８に供給する（同図中のＰＧ２）。番組データには例えば、チャンネル番号、放送開始・終了時刻及び番組内容情報などが含まれる。ここでの番組内容情報とは例えば番組名、出演者、種別及び概要などの情報である。ただし、番組データはこれら以外の情報を含んでいても良い。
【００１７】
切り替え制御部９はチャンネル切り替え入力に応じて受信部２及び画面データ生成出力部６に切り替え指令を発する（同図中のＣＨ）。本実施例においてはリモコン１０がチャンネル切り替え入力をなす（同図中のＲＣ）。ただし、チャンネル切り替え入力は本体部１に付属する入力装置（図示せず）などから入力されても良い。
【００１８】
スピーカ１１は音声データ出力部４から出力された音声データに基づいて音声を出力する。表示装置１２は画面データ生成出力部６から出力された画面データに基づいて画面を表示する。
【００１９】
映像データは圧縮符号化された一連のフレームからなる。本実施例におけるフレームは例えばＭＰＥＧ(Moving Pictures Experts Group)規格などで用いられるフレーム内圧縮及びフレーム間予測圧縮符号化により圧縮符号化されている。以下、フレーム内圧縮符号化により圧縮符号化されたフレームをＩフレーム（Intra-codedフレーム）と称する。また、フレーム間予測圧縮符号化により圧縮符号化されたフレームを差分フレーム（Predictive-codedフレーム及びBidirectional predictive-codedフレームの総称）と称する。差分フレームはIフレームとの差分に基づいて圧縮符号化されたフレームであり、Iフレームを参照することによって復号される。Iフレームは単独で復号される。
【００２０】
図２はチャンネル切り替えルーチンを表すフローチャートである。以下、図２を参照しつつデジタル放送受信装置１００におけるチャンネル切り替え処理について説明する。
【００２１】
デジタル放送受信装置１００が現在、切替前放送データを受信中であるとする。先ず、視聴者がリモコン１０でチャンネル切り替え操作を行う。リモコン１０はチャンネル切り替え入力の信号を切り替え制御部９に供給する（Ｓ２１）。切り替え制御部９はチャンネル切り替え入力に応じて受信部２に切り替え指令を発する。
【００２２】
受信部２は切り替え制御部９から発せられた切り替え指令に応じて、切替前放送データに替えて切替後放送データの受信を開始する（Ｓ２２）。放送データがデジタル放送によって配信される場合は、受信部２はチューナ制御により受信チャンネルを選択する。また、放送データがＩＰ放送によって配信される場合は、受信部２はＩＧＭＰ（Internet Group Management Protocol）を用いたマルチキャスト制御により受信チャンネルを選択する。マルチキャスト制御によってチャンネルを変更する場合は、先ずデジタル放送受信装置１００が通信ネットワーク（図示せず）にleaveパケットを送出して現在視聴中のチャンネルに対応するマルチキャストアドレスへの参加を中止する。続いてデジタル放送受信装置１００が新たに視聴する別のチャンネルに対応するマルチキャストアドレスへの参加を開始するために通信ネットワーク（図示せず）にjoinパケットを送出することによってチャンネル変更がなされる。
【００２３】
受信部２が受信した切替後放送データには切替後音声データ、切替後映像データ及び切替後番組データが含まれている。受信部２は切替後放送データからこれらを取り出し、切替後音声データを音声データ復号部３へ、切替後映像データを映像データ復号部５へ、切替後番組データを番組データ復号部７へそれぞれ供給する。番組データ復号部７は供給された切替後番組データを復号してこれを番組データ記憶部８に供給する。番組データ記憶部８は供給された切替後番組データを記憶する。
【００２４】
画面データ生成出力部６は、切り替え制御部９から発せられた切り替え指令に応じて、番組データ記憶部８に記憶されている切替後番組データに基づいて文字及び／若しくはパターンからなる番組関連画面データを生成し、これを表示装置１２に出力する。表示装置１２は出力された番組関連画面データに基づいて番組関連画面を短時間すなわち例えば数秒間の暫時、表示する（Ｓ２３）。切替後番組データには例えば、チャンネル番号、放送開始時刻、放送終了時刻、番組名、出演者、概要などの番組内容情報が含まれている。図３は表示装置１２が表示する番組関連画面の例を表す図である。なお、切替後番組データは上記した以外の情報及び表示形式でも良い。
【００２５】
映像データ復号部５は供給された切替後映像データを復号して切替後映像信号を生成し、これを画面データ生成出力部６に供給する（Ｓ２４）。切替後映像データを構成する一連のフレームの内、差分フレームはＩフレームを参照することによって復号される。そのため、受信部２がＩフレームを受信するまで映像データ復号部５は差分フレームを復号することができず、表示装置１２にも切替後画面が表示されない。この間、表示装置１２は番組関連画面を表示している。視聴者は表示装置１２に切替後画面が表示されなくても、番組関連画面を確認することによって、チャンネル切り替え後の番組内容を知ることができる。また、切替後映像データの復号と併行して、音声データ復号部３は供給された切替後音声データを順次復号してこれを音声データ出力部４に供給する（Ｓ２４）。音声データ出力部４は供給された音声データをスピーカ１１で出力できる形式に変換し、当該変換した音声データをスピーカ１１に出力する。
【００２６】
受信部２が切替後映像データを構成するＩフレームを受信したら、映像データ復号部５は以降に受信する差分フレーム及びＩフレームの各々を復号することができる。画面データ生成出力部６は、復号された切替後映像信号を映像データ復号部５から受け取ったら、番組関連画面データに代えて、切替後画面データの生成、出力を開始する。すなわち、画面表示を切り替える（Ｓ２５）。表示装置１２は供給された切替後画面データに基づいて切替後画面を順次表示する。なお、この場合、切替後画面の表示と番組関連画面の表示とを表示スクリーン上において区分けして表示（マルチスクリーン表示）としても良い。
【００２７】
図４は受信フレーム、映像データ及び番組データの表示期間を表す図である。以下に、受信フレームと映像データ及び番組データの表示期間との関係について説明する。
【００２８】
フレームＡ０〜Ａｍ（ｍは正整数）は切替前映像データを構成する一連のフレームを表す。デジタル放送受信装置１００は、フレームＡ０、Ａ１、・・・、Ａｍの順に順次、受信するものとする。この内、フレームＡ０は放送受信装置が受信した最初のＩフレームである。フレームＡ１〜Ａｍの各々はＩフレーム及び差分フレームのいずれかである。
【００２９】
フレームＢ０〜Ｂｎ（ｎは正整数）は切替後映像データを構成する一連のフレームを表す。デジタル放送受信装置１００は、チャンネル切り替え後にフレームＢ０、Ｂ１、・・・、Ｂｎの順に順次、受信するものとする。この内、フレームＢ９は放送受信装置が受信した最初のＩフレームである。フレームＢ０〜Ｂ８の各々は放送受信装置がフレームＢ９を受信するまでに受信した差分フレームである。フレームＢ１０〜Ｂｎの各々はＩフレーム及び差分フレームのいずれかである。
【００３０】
同図の横軸は時間を表す。時刻ｔ０はデジタル放送受信装置１００がフレームＡ０を受信した時刻である。時刻ｔ１はチャンネル切り替え時刻である。時刻ｔ２はデジタル放送受信装置１００がフレームＢ０を受信した時刻である。時刻ｔ３はデジタル放送受信装置１００が番組関連画面データの出力を開始した時刻である。時刻ｔ４はフレームＢ９を受信した時刻である。また、時刻ｔ４はデジタル放送受信装置１００が番組関連画面データの出力を終了し、切替後画面データの出力を開始した時刻である。時刻ｔ５はデジタル放送受信装置１００が切替後画面データの出力を終了した時刻である。
【００３１】
期間３１（時刻ｔ０〜時刻ｔ１）は、デジタル放送受信装置１００が切替前画面データを出力している期間である。期間３２（時刻ｔ１〜時刻ｔ４）は、デジタル放送受信装置１００が画面データを出力していない期間である。期間３３（時刻ｔ４〜時刻ｔ５）は、デジタル放送受信装置１００が切替後画面データを出力している期間である。期間３４（時刻ｔ３〜時刻ｔ４）は、デジタル放送受信装置１００が番組関連画面データを出力している期間である。
【００３２】
デジタル放送受信装置１００はフレームＡ０を受信してから、チャンネル切り替え入力に応じて切替前映像データの受信を中止するまでの期間、フレームＡ０、Ａ１、・・・、Ａｍの順に順次、受信、復号して切替前映像データを出力している。すなわち、デジタル放送受信装置１００は、時刻ｔ０〜時刻ｔ１の期間３１、切替前画面データを出力している。
【００３３】
デジタル放送受信装置１００はチャンネル切り替え入力に応じて、切替前映像データの受信を中止すると共に、切替後映像データの受信を開始する。デジタル放送受信装置１００は時刻ｔ２に最初の差分フレームＢ０を受信するが、この時点においては参照すべきＩフレームを受信できていないため、フレームＢ０を復号して画面データを出力することができない。続く差分フレームＢ１〜フレームＢ８についても同様である。そのため、デジタル放送受信装置１００は、時刻ｔ１〜時刻ｔ４の期間３２、画面データを出力することができない。
【００３４】
デジタル放送受信装置１００はＩフレームＢ９を受信したらこれを単独で復号して画面データを出力することができる。続くフレームＢ１０〜フレームＢｎはＩフレーム及び差分フレームのいずれかであるため、デジタル放送受信装置１００はこれらを単独または既に受信してあるＩフレームを参照することによって復号して画面データを出力することができる。すなわち、デジタル放送受信装置１００は、時刻ｔ４〜時刻ｔ５の期間、切替後映像データを出力できる。
【００３５】
デジタル放送受信装置１００は切替後映像データと共に切替後番組データを受信している。切替後番組データはチャンネル切り替え時刻ｔ１以後に受信されて番組情報記憶部８に記憶されている。画面データ生成出力部６は番組データ記憶部８に記憶されている切替後番組データを取り出し、これに基づいて番組関連画面データを生成する。画面データ生成出力部６は生成した番組関連画面データを表示装置１２に出力する。画面データ生成出力部６から出力された番組関連画面データに基づいて表示装置１２が番組関連画面を時刻ｔ３に表示すれば、この時点で、視聴者はチャンネル切り替え後の番組内容を知ることができる。すなわち、切替後映像データが復号、表示される時刻ｔ４以前に視聴者はチャンネル切り替え後の番組内容を知ることができる。
【００３６】
上記したように、切替後映像データは当該切替後映像データを構成するＩフレームを受信するまで復号されないが、デジタル放送受信装置が当該切替後映像データと共に受信した切替後番組データを記憶し、これを表示装置に表示可能な番組関連画面データに変換してチャンネル切り替え時に画面表示することによって、当該切替後映像データが復号、表示されていなくても、視聴者はチャンネル切り替え後、速やかに切り替え後の番組内容を知ることができる。
【図面の簡単な説明】
【００３７】
【図１】デジタル放送受信装置を示すブロック図である。
【図２】チャンネル切り替えルーチンを表すフローチャートである。
【図３】表示装置が表示する番組関連画面の例を表す図である。
【図４】受信フレーム、映像データ及び番組データの表示期間を表す図である。
【符号の説明】
【００３８】
１  本体部
２  受信部
３  音声データ復号部
４  音声データ出力部
５  映像データ復号部
６  画面データ生成出力部
７  番組データ復号部
８  番組データ記憶部
９  切り替え制御部
１０  リモコン
１１  スピーカ
１２  表示装置
１００  デジタル放送受信装置
【図１】
2008199123.tif 000003
【図２】
2008199123.tif 000004
【図３】
2008199123.tif 000005
【図４】
2008199123.tif 000006